(57)【要約】【課題】  エッジを備えた複数の天板を連設したテーブルにおいて、天板の連結と同時にエッジ同士を連結して、位置ずれがない強固な連結を実現できるテーブルの天板連結装置を提供する。【解決手段】  天板を中間脚に固定した中間アーム８を介して側方へ連設してなるテーブルにおいて、天板の縁部に設けるエッジ１２は、天板の側端面を覆う側面板３４と、天板の下面縁部に取付ける中空の本体部４０を有し、本体部の内部には嵌合空間５６が形成され、芯金５０の中央部に挿入杆５１を側設した連結金具１３を用い、直線状に隣接する両エッジの嵌合空間に連結金具の芯金の両端部を嵌入して芯金を本体部にネジ止めし、両エッジの接合部に設けた切欠部５７を通して天板の中央側へ向けて突出した挿入杆を、中間アーム８の先端部に設けた中間ブラケット１０の先端面に開口した支持孔６４に嵌入してネジ止めする。【選択図】        図８
2014061194.tif 000002
【特許請求の範囲】
【請求項１】
天板の側端面を覆うエッジ機能と、天板の下面に本体部を取付けて補強する補強機能とを少なくとも備えたファンクションエッジを天板の前後縁部に設け、該天板を中間脚に固定した中間アームを介して側方へ連設してなるテーブルにおいて、前記ファンクションエッジは、前記天板の側端面を覆う側面板を有するとともに、天板の下面縁部に取付ける中空の本体部を有し、該本体部の内部には嵌合空間が形成され、芯金の中央部に挿入杆を側設した平面視略Ｔ字形の連結金具を用い、直線状に隣接する両ファンクションエッジの嵌合空間に連結金具の芯金の両端部をそれぞれ嵌入するとともに、該芯金を前記本体部にネジ止めし、両ファンクションエッジの接合部に設けた切欠部を通して天板の中央側へ向けて突出した前記挿入杆を、前記中間アームの先端部に設けた中間ブラケットの先端面に開口した支持孔に嵌入してネジ止めすることを特徴とするテーブルの天板連結装置。
【請求項２】
前記ファンクションエッジの側面板の近傍に嵌合部を設け、直線状に隣接する両ファンクションエッジの嵌合部に連結板の両端部を嵌入してなる請求項１記載のテーブルの天板連結装置。
【請求項３】
前記嵌合部は、前記側面板の内側上端に形成した下向き係合溝と、前記本体部の上面を形成する基板の手前側の外側縁部に設けた段落ち部に形成した外向き係合溝とで構成し、前記連結板は、金属板を折曲形成した部材であり、垂直片と水平片とからなり、前記垂直片の上縁を前記下向き係合溝に係合するとともに、前記水平片の端部を前記外向き係合溝に係合してなる請求項２記載のテーブルの天板連結装置。
【請求項４】
前記嵌合部は、前記本体部の中空部内の手前端に上下に対向させて係合溝を形成して構成し、平板状の連結板を上下の前記係合溝に係合させて嵌入してなる請求項２記載のテーブルの天板連結装置。
【発明の詳細な説明】
【技術分野】
【０００１】
本発明は、テーブルの天板連結装置に係わり、更に詳しくはエッジを備えた複数の天板を連設したテーブルの天板連結装置に関するものである。
【背景技術】
【０００２】
従来から、複数の天板を連設し、端部に位置する天板の外側端おいて棒脚あるいは脚板で支持するとともに、天板の連結部においては中間脚で支持した構造のテーブルは各種提供されている。また、天板の下面周縁部にビーム部材を配置して天板を補強するとともに、コーナー部でビーム部材に連結した脚ブラケットに棒脚を固定する基本構造も公知である。
【０００３】
通常側方への拡張性のあるテーブル又は組立式デスクにおいて、複数の天板を側方へ連設する。例えば、特許文献１には、隣接する天板の接合部を中間脚の上端に設けた支持アームに載支し、該支持アームに設けた取付片にそれぞれ天板の下面をネジ止めしている。更に、天板同士は、両天板の側端面を貫通したボルト、ナットで直接連結している。具体的には、天板の下面の両端部に凹部を形成するとともに、該凹部から天板の側端面に貫通孔を形成し、両天板の貫通孔に連結棒を挿入し、連結棒の各端部のネジ部に前記凹部内でナットを螺合して締結する。この場合、天板の前縁にはエッジを取付けたり、何らかの化粧縁となっているが、隣接する天板同士の連結に際してエッジの連結はしない。
【０００４】
また、特許文献２には、デスクの天板同士を連結する構造として、支持アームの両側から締結ボルトによって互いに引き寄せられる一対の係合爪を上方へ向けて突設し、天板の下面に前記係合爪を受け入れる凹部を形成し、隣接する両天板の側縁部を前記支持アームに載支し、前記一対の係合爪で引き付けるとともに、天板の下面を支持アームに設けた取付片にネジ止めする構造が開示されている。しかし、この場合も、天板の前縁のエッジは単に突き合わせるだけである。
【０００５】
このように、従来の天板を連設する構造のテーブルにおいて、天板同士の連結はなされるものの、該天板の端縁部に設けたエッジを連結するものはなく、単に突き合わせていたので、僅かではあるが位置ずれが生じることは避けられなかった。
【先行技術文献】
【特許文献】
【０００６】
【特許文献１】特開２００７−１５１８２４号公報
【特許文献２】特開２００９−１４２５７２号公報
【発明の概要】
【発明が解決しようとする課題】
【０００７】
そこで、本発明が前述の状況に鑑み、解決しようとするところは、エッジを備えた複数の天板を連設したテーブルにおいて、天板の連結と同時にエッジ同士を連結して、位置ずれがない強固な連結を実現できるテーブルの天板連結装置を提供する点にある。
【課題を解決するための手段】
【０００８】
本発明は、前述の課題解決のために、天板の側端面を覆うエッジ機能と、天板の下面に本体部を取付けて補強する補強機能とを少なくとも備えたファンクションエッジを天板の前後縁部に設け、該天板を中間脚に固定した中間アームを介して側方へ連設してなるテーブルにおいて、前記ファンクションエッジは、前記天板の側端面を覆う側面板を有するとともに、天板の下面縁部に取付ける中空の本体部を有し、該本体部の内部には嵌合空間が形成され、芯金の中央部に挿入杆を側設した平面視略Ｔ字形の連結金具を用い、直線状に隣接する両ファンクションエッジの嵌合空間に連結金具の芯金の両端部をそれぞれ嵌入するとともに、該芯金を前記本体部にネジ止めし、両ファンクションエッジの接合部に設けた切欠部を通して天板の中央側へ向けて突出した前記挿入杆を、前記中間アームの先端部に設けた中間ブラケットの先端面に開口した支持孔に嵌入してネジ止めすることを特徴とするテーブルの天板連結装置を構成した（請求項１）。
【０００９】
更に、前記ファンクションエッジの側面板の近傍に嵌合部を設け、直線状に隣接する両ファンクションエッジの嵌合部に連結板の両端部を嵌入してなることがより好ましい（請求項２）。
【００１０】
具体的には、前記嵌合部は、前記側面板の内側上端に形成した下向き係合溝と、前記本体部の上面を形成する基板の手前側の外側縁部に設けた段落ち部に形成した外向き係合溝とで構成し、前記連結板は、金属板を折曲形成した部材であり、垂直片と水平片とからなり、前記垂直片の上縁を前記下向き係合溝に係合するとともに、前記水平片の端部を前記外向き係合溝に係合してなることが好ましい（請求項３）。
【００１１】
あるいは、前記嵌合部は、前記本体部の中空部内の手前端に上下に対向させて係合溝を形成して構成し、平板状の連結板を上下の前記係合溝に係合させて嵌入してなることも好ましい（請求項４）。
【発明の効果】
【００１２】
以上にしてなる請求項１に係る発明のテーブルの天板連結装置は、天板の側端面を覆うエッジ機能と、天板の下面に本体部を取付けて補強する補強機能とを少なくとも備えたファンクションエッジを天板の前後縁部に設け、該天板を中間脚に固定した中間アームを介して側方へ連設してなるテーブルにおいて、前記ファンクションエッジは、前記天板の側端面を覆う側面板を有するとともに、天板の下面縁部に取付ける中空の本体部を有し、該本体部の内部には嵌合空間が形成され、芯金の中央部に挿入杆を側設した平面視略Ｔ字形の連結金具を用い、直線状に隣接する両ファンクションエッジの嵌合空間に連結金具の芯金の両端部をそれぞれ嵌入するとともに、該芯金を前記本体部にネジ止めし、両ファンクションエッジの接合部に設けた切欠部を通して天板の中央側へ向けて突出した前記挿入杆を、前記中間アームの先端部に設けた中間ブラケットの先端面に開口した支持孔に嵌入してネジ止めしたので、天板の連結と同時にファンクションエッジ同士も直線状に連結することができるので、天板同士の連結強度が格段に高くなるとともに、ファンクションエッジの本体部の嵌合空間に連結金具の芯金が嵌合するので、両ファンクションエッジの接合部が正確に位置決めでき、位置ずれによる段差がなくなる。
【００１３】
請求項２によれば、前記ファンクションエッジの側面板の近傍に嵌合部を設け、直線状に隣接する両ファンクションエッジの嵌合部に連結板の両端部を嵌入してなるので、位置ずれを端縁に近いところで防止でき、より正確に連結できる。
【００１４】
請求項３によれば、前記嵌合部は、前記側面板の内側上端に形成した下向き係合溝と、前記本体部の上面を形成する基板の手前側の外側縁部に設けた段落ち部に形成した外向き係合溝とで構成し、前記連結板は、金属板を折曲形成した部材であり、垂直片と水平片とからなり、前記垂直片の上縁を前記下向き係合溝に係合するとともに、前記水平片の端部を前記外向き係合溝に係合してなるので、隣接するファンクションエッジの側面板自体を正確に位置決めして突き合わせて連結することができる。
【００１５】
請求項４によれば、前記嵌合部は、前記本体部の中空部内の手前端に上下に対向させて係合溝を形成して構成し、平板状の連結板を上下の前記係合溝に係合させて嵌入してなるので、隣接するファンクションエッジの端縁の位置ずれを防止することができる上に、連結板の形状が単純になり、嵌合部への嵌入作業が容易になるとともに、連結板の板厚を増すことができるので、連結強度がより高くなる。
【図面の簡単な説明】
【００１６】
【図１】本発明に係るテーブルの全体斜視図である。
【図２】同じくテーブルの部分底面図である。
【図３】ファンクションエッジの部分斜視図である。
【図４】天板の端縁部にファンクションエッジを設けた状態の部分縦断面図である。
【図５】中間脚と縦ダクトの構造を示す部分分解斜視図である。
【図６】中間アームと中間ブラケットを示す部分平面図である。
【図７】同じく中間アームと中間ブラケットを示す斜視図である。
【図８】ファンクションエッジの連結部の構造を示す部分分解斜視図である。
【図９】同じくファンクションエッジの連結部の構造を示す部分底面図である。
【図１０】テーブルのコーナー部の構造を示す分解斜視図である。
【図１１】脚ブラケットの周りの構造を示す分解斜視図である。
【図１２】同じく脚ブラケットの周りの構造を示す分解平面図である。
【図１３】天板の連結部の構造を示す一部省略した部分平面図である。
【図１４】縦ダクトの構造を示し、通常の状態の部分平面図である。
【図１５】縦ダクトの構造を示し、一方のダクトカバーを外側にずらせて係着してダクト空間を拡張した状態の部分平面図である。
【図１６】アクセスフロアと中間脚及び縦ダクトの位置関係を示し、通常の状態で縦ダクトを利用できる場合の説明用平面図である。
【図１７】アクセスフロアと中間脚及び縦ダクトの位置関係を示し、一方のダクトカバーを外側にずらせて係着してダクト空間を拡張した状態で縦ダクトを利用する場合の説明用平面図である。
【図１８】ファンクションエッジの係止レール部を利用して接続ユニットを取付けた状態の部分縦断面図である。
【図１９】接続ユニットの一部省略した全体斜視図である。
【図２０】ファンクションエッジの係止レール部を利用して接続ユニットを取付けた状態を一部省略して示した部分正面図である。
【図２１】ファンクションエッジの他の実施形態を示す部分縦断面図である。
【発明を実施するための形態】
【００１７】
次に、添付図面に示した実施形態に基づき、本発明を更に詳細に説明する。図１は本発明に係るテーブルの全体斜視図、図２〜図１２はその詳細を示し、図中符号１は天板、２は棒脚、３は中間脚、４は縦ダクト、５はキャビネットをそれぞれ示している。
【００１８】
本発明に係るテーブルの全体構成は、図１及び図２に示すように、複数の天板１，…を連設し、端部に位置する天板１の外側端おいて棒脚２，２で支持するとともに、天板１，１の連結部においては中間脚３で支持し、該中間脚３は縦ダクト４の一部を構成している。前記天板１，…の下方空間はフットフリー、ワゴンフリーとなっており、棒脚２以外のどの位置でも着座することができ、また引出し付きのキャビネット５を自由に配置することができ、前記縦ダクト４の前面側にも配置できるようになっている。
【００１９】
前記棒脚２は、図２及び図１１に示すように、脚ブラケット６を介して天板１の下面に取付けられ、両脚ブラッケト６，６間にエンドアーム７を連結している。前記中間脚３は、図２及び図５に示すように、上端に中間アーム８が側面視略Ｔ字状に取付けられ、該中間アーム８は天板１，１の連結部に沿って配置されている。そして、隣接する前記中間脚３，３の上端間には、図２及び図５に示すように、ファンクションビーム９，９が間隔を置いて平行に連結され、更に前記エンドアーム７の中間部と中間脚３の上端間にもファンクションビーム９，９が連結されている。そして、図２、図５〜図９に示すように、前記中間アーム８の先端には中間ブラケット１０，１０が固定され、前記各天板１，…を前記中間脚３、脚ブラケット６、エンドアーム７、ファンクションビーム９、中間ブラケット１０に載置し、前記脚ブラケット６を天板１下面にネジ止めするとともに、前記エンドアーム７、中間アーム８及び中間ブラケット１０に側設された取付片１１，…を用いて天板１下面にネジ止めしている。
【００２０】
更に、図１〜図４に示すように、前記各天板１の縁部には、側端面から下面縁部を覆うようにファンクションエッジ１２が設けられ、直線状に連続する部分においては、図１、図４、図８及び図９に示すように、両ファンクションエッジ１２，１２を平面視略Ｔ字形の連結金具１３と断面略Ｌ字形の連結板１４とで連結するとともに、図１、図１０〜図１２に示すように、前記連結金具１３を前記中間ブラケット１０に連結する一方、コーナー部においては、交差する両ファンクションエッジ１２，１２の端部を４５度にカットし、その端部をコーナーブラケット１５で連結している。そして、前記ファンクションエッジ１２を天板１下面にネジ止めするとともに、前記コーナーブラケット１５も前記ブラケット６と同時に天板１下面にネジ止めする。
【００２１】
前記天板１の上で使用するノート型パーソナルコンピュータ（ＰＣ）やタブレット型ＰＣ等の電子機器に、電源を供給したり、ＬＡＮケーブル等の通信線を接続したりするには、図１６及び図１７に示すように、アクセスフロアＡの表面に敷き詰めたタイルカーペットＴの接合部分から各種のケーブルＣ１を引き出し、図５、図１３〜図１７に示すような前記縦ダクト４の内部を通して天板１の下面に導き、それから前記ファンクションビーム９に沿って配線したり、天板１の下面に適宜設けた横ダクトを通して、最終的に図１８〜図２０に示すように、前記ファンクションエッジ１２に取付けた接続ユニット１６にケーブルＣを接続しておき、天板１の下面で周縁部（手元部）において、前記接続ユニット１６に電子機器からのケーブルＣ２を接続する。また、天板１の上にＬＡＮシート（株式会社イトーキの登録商標）を配置した場合にも前記縦ダクト４を利用して通信線を配線する。
【００２２】
次に、各部の詳細を更に説明する。本発明に係るテーブルの四隅に設けた前記棒脚２は、図１１に示すように、前記脚ブラケット６を介して天板１の下面にネジ止めされる。前記脚ブラケット６には、平面視略四角形であり、内方へ向いた角部に嵌合部１７を突設し、角パイプで作成した前記エンドアーム７の端部を該嵌合部１７に外嵌し、ネジ止め連結できるようになっている。また、前記脚ブラケット６には、前記嵌合部１７と対角位置にある他の角部に前記コーナーブラケット１５を接合できるようになっているとともに、この角部の両側の辺縁に天板１から所定間隔を隔てた鍔部１８，１８を形成している。前記棒脚２は、前記脚ブラケット６の下面に突設した円柱状の固定筒１９に外嵌し、上方から挿通したネジで引き付けて連結している。
【００２３】
また、本発明に係るテーブルの奥行方向の中央部で、前記天板１，１を連結する位置に設けた前記中間脚３は、図５及び図１３に示すように、前後両側に支脚２０，２０を間隔を隔てて配置し、両支脚２０，２０の上端間に上向き開放した断面コ字形の支持杆２１を渡設するとともに、下部間に連結杆２２を連結し、更にそれぞれの支脚２０の下端には左右方向へ向いた接地杆２３を逆Ｔ字状に設け、該接地杆２３の両端部にはアジャスター２４，２４を設けた構造である。前記支脚２０は、断面コ字形の杆体２５，２５を左右に配し、前記支持杆２１は両杆体２５，２５の上端に挟むように固定し、両杆体２５，２５を囲むように側板２６が設けられている。
【００２４】
そして、図６及び図７に示すような前記中間アーム８の中央部を、前記中間脚３の支持杆２１の凹溝内に嵌合し、下方からネジ止めしている。前記中間アーム８は、角パイプで形成され、両端部に前記中間ブラケット１０，１０を取付け、中間部には前記取付片１１，…の他に前記中間脚３の近傍位置に偏平な連結片２７，２７を設けている。また、前記中間脚３の両支脚２０，２０の上端左右両側には、前記ファンクションビーム９の端部を外嵌してネジ止め連結するための嵌合部２８，２８を突設している。
【００２５】
前記縦ダクト４は、前記中間脚３を用いて構成されている。前記縦ダクト４は、図５に示すように、両支脚２０，２０の間に、上段コード受け２９を前記支持杆２１に吊止部材３０を用いて吊り下げ状に設けるとともに、下段コード受け３１を高さ調節可能に設け、更に前記中間脚３の両支脚２０，２０と上段コード受け２９及び下段コード受け３１を取り囲むように一対のダクトカバー３２，３２を対向配置し、該ダクトカバー３２，３２の両端縁部を両支脚２０，２０の外側側面に係着手段にて着脱可能且つ取付位置を側方へ変更可能に設けて構成されている。尚、前記縦ダクト４に対応する天板１にはコード引出し口を設けても良い。
【００２６】
前記ファンクションエッジ１２は、図３及び図７に示すように、前記天板１の側端面から下面縁部にかけて覆う形状になっており、複数の機能を備えている。先ず、前記ファンクションエッジ１２は、前述の文字通り天板１のエッジ機能、天板１の補強機能、前記接続ユニット１６等を取付けるオプション取付機能を備えている。前記ファンクションエッジ１２は、アルミ押出し型材で作成されており、前記天板１の下面に接合する基板３３の前端から立ち上がり前記天板１の側端面を覆う側面板３４を有し、該側面板３４の上縁から内方へ前記天板１の上面縁部を僅かに覆うことが可能な幅の狭い保護片３５を延設し、エッジ機能を構成している。そして、前記ファンクションエッジ１２の基板３３を前記天板１の下面に取付け、前記側面板３４で天板１の側端面を覆い、前記保護片３５を天板１の上面端縁に係合した状態で配置する。このように、前記天板１の側端部が完全にファンクションエッジ１２で覆われるので、該天板１の端部は切りっ放しで良く、特別な加工は不要となる。そのため、天板１は厚みさえ合わせれば、層構造は任意にでき、図示したように、木製のベース部１Ａの上にガラス板１Ｂを接合した複合板にも対応できる。
【００２７】
更に、前記ファンクションエッジ１２は、前記側面板３４から下方へ延長し、それから後方へ前記基板３３と平行に延びた下面板３６を有し、該下面板３６の後端に下方へ垂下板３７を形成し、前記基板３３の後端部から垂下した後面板３８と前記垂下板３７の下端を底面板３９で連結して、中空の断面略Ｌ字形の本体部４０を形成し、補強機能を構成している。
【００２８】
そして、前記ファンクションエッジ１２は、前記基板３３の後方延長部と前記底面板３９の後方延長部の両端部から互いに接近する方向に延びた上下の係止板４１，４１と両係止板４１，４１の間に開口溝４２を備えた内部に空間を有する係止レール部４３を形成し、オプション取付機能を構成している。尚、前記係止板４１，４１の端部には、それぞれ外側、つまり天板１の端部側へ向けて延びた補強片４４を形成し、前記係止板４１とで断面略Ｌ字状の係止レール部４３を構成している。勿論、前記係止レール部４３も補強機能の一部を構成する。更に、前記下面板３６の前後中間位置に凹溝４５を形成するとともに、該凹溝４５の開口縁に対応する前記下面板３６の部分を延長して突片４６，４６を形成し、第二のオプション取付機能を構成している。つまり、本実施形態では、前記ファンクションエッジ１２は、前記天板１の下面に取付ける補強機能を備えた中空の本体部４０を有するとともに、該本体部４０の内側に後方へ向いた係止レール部４３を有し、該係止レール部４３を用いて他部材を取付けるオプション取付機能を備えているのである。更に、前記ファンクションエッジ１２の本体部４０の下面に、開口縁に突片４６，４６を有する凹溝４５を形成して、第二のオプション取付機能としている。
【００２９】
更に詳しくは、前記ファンクションエッジ１２を前記天板１の下面にネジ止めするには、前記凹溝４５内に開口４７を形成し、それに対応する基板３３に取付孔４８を形成し、前記開口４７から挿入したネジ４９を取付孔４８に挿入して天板１の下面に埋設したオニメナット等に螺合する。ここで、前記開口４７は、ネジ４９の頭部４９Ａが通過するのに十分な大きさを有し、前記ネジ４９を天板１の下面へ螺合した状態でも頭部４９Ａが凹溝４５内に突出しないように寸法設定され、ネジ４９の存在を目立たなくしているとともに、前記凹溝４５を利用する場合に支障がないようにしている。尚、前記凹溝４５は、本発明に係るテーブルを移動させる際に、指を掛ける場合にも利用できる。
【００３０】
次に、前記天板１，１の接合部において、隣接する前記ファンクションエッジ１２，１２を前記連結金具１３と連結板１４を用いて直線状に連結する構造を図８及び図９に基づいて説明する。前記連結金具１３は、厚さの厚い金属板からなる縦長断面四角形の芯金５０の中央部に挿入杆５１を平面視略Ｔ字形に側設し、前記芯金５０の両側部には前後に開口した二つの螺孔５２，５２を形成するとともに、前記挿入杆５１にも上下に開口した螺孔５３，５３を形成している。前記挿入杆５１は上向きに開口した断面略コ字形の部材であり、内部にナットを溶接し、該ナットに連通する通孔を底面に形成して前記螺孔５３，５３とした。また、前記連結板１４は、厚さの薄い金属板を折曲形成した部材であり、幅の広い垂直片５４と幅が狭い水平片５５とからなる。
【００３１】
前記ファンクションエッジ１２の本体部４０には、前記垂下板３７、後面板３８、底面板３９及び基板３３で囲まれた縦長の嵌合空間５６が形成され、該嵌合空間５６に前記連結金具１３の芯金５０の半分が嵌合される。この際、前記挿入杆５１は、前記後面板３８と、上側の係止板４１及び補強片４４の一部に形成した切欠部５７を通して内側、つまり天板１の中央側へ向けて開口溝４２から突出する。また、前記ファンクションエッジ１２の側面板３４と基板３３の内側に沿って形成した嵌合部５８に前記連結板１４が嵌入される。前記ファンクションエッジ１２の側面板３４の近傍に嵌合部５８を設け、直線状に隣接する両ファンクションエッジ１２，１２の嵌合部５８に連結板１４の両端部を嵌入することで、位置ずれを端縁に近いところで防止でき、より正確に連結できる。前記嵌合部５８は、前記側面板３４の内側上端に形成した下向き係合溝５９と、前記基板３３の手前側の外側縁部に設けた段落ち部６０に形成した外向き係合溝６１とで構成している。図４に示すように、前記ファンクションエッジ１２を前記天板１に取付けた際に、前記天板１の側端面と側面板３４及び基板３３の段落ち部６０との間に断面略Ｌ字形の空間が形成され、この空間内に前記連結板１４を挿入して、垂直片５４の上縁を前記下向き係合溝５９に係合するとともに、水平片５５の端部を前記外向き係合溝６１に係合する。そして、前記ファンクションエッジ１２の開口溝４２内で、前記後面板３８に形成した通孔６２，６２から挿入したネジ６３，６３を前記芯金５０の螺孔５２，５２に螺合して強固に両ファンクションエッジ１２，１２を連結するとともに、前記連結板１４を前記嵌合部５８に嵌合することにより、側面板３４と保護片３５に位置ずれが無く連結することができる。そして、前記連結金具１３の挿入杆５１は、前記中間ブラケット１０の先端面に開口した支持孔６４に嵌入し、該中間ブラケット１０の下方から挿入したネジ６５，６５を前記螺孔５３，５３に螺合して連結する。
【００３２】
また、テーブルのコーナー部においては、図１０〜図１２に示すように、前記コーナーブラケット１５の基部には、前記ファンクションエッジ１２の嵌合空間５６に嵌入する嵌合片６６，６６を両側に突設するとともに、コーナー部のＲ面を形成するコーナー端面板６７に前記嵌合部５８に係合する断面略Ｌ字形の係合片６８，６８を両側に突設している。前記ファンクションエッジ１２を天板１のコーナー部に取付けるには、前記係止レール部４３の端部の開口溝４２を前記脚ブラケット６の鍔部１８に係合させて仮支持しながら、他端側を前記連結金具１３と連結板１４を用いて他のファンクションエッジ１２に連結し、そして側端に位置するファンクションエッジ１２の両端部に前記コーナーブラケット１５，１５を前述のように嵌合した状態で、該ファンクションエッジ１２の開口溝４２を両側の脚ブラケット６，６の鍔部１８，１８に係合すると同時に、両コーナーブラケット１５，１５の嵌合片６６と係合片６８を前後縁に設けた前記ファンクションエッジ１２，１２の端部に嵌合し、それから前述のように、ネジ４９，…で天板１の下面に螺合する。
【００３３】
次に、図５、図１３〜図１７に基づいて、前記縦ダクト４によるアクセスフロアＡからのケーブルＣの配線例を説明する。前記縦ダクト４は、中間脚３の両支脚２０，２０の側板２６，２６の外面に、平面視略コ字形の１対のダクトカバー３２，３２の端縁部を係着手段により着脱可能且つ水平方向で取付位置を側方へ変更可能に係着できるようになっている。前記両支脚２０，２０の側板２６，２６及び１対のダクトカバー３２，３２で縦方向に連続したダクト空間が形成される。前記係着手段として、前記ダクトカバー３２の両端縁部６９，６９の内側と前記両支脚２０，２０の側板２６，２６の一方にマグネット７０，…を設け、他方面をスチール板等の吸着面７１とし、前記マグネット７０，…を吸着面７１に吸着することによって前記ダクトカバー３２を保持している。本実施形態では、ダクトカバー３２の両端縁部６９，６９にマグネット７０，…を設けている。そして、前記吸着面７１に対する前記マグネット７０，…による吸着位置を変えることにより、左右方向、つまり前記テーブルの長手方向にダクトカバー３２の取付位置を変えることができる。ここで、前記ダクトカバー３２の位置調節量を大きくするためには、前記中間脚３の両支脚２０，２０の側板２６，２６の横幅を広くすれば良い。尚、本実施形態では、係着手段としてマグネットとスチール板等の吸着面としたが、面ファスナーを用いることや、係止孔とフックを用いても良い。
【００３４】
図１４は、両ダクトカバー３２，３２を最も接近させて係着した状態を示し、図１５は一方のダクトカバー３２を左右方向に変化させてダクト空間を拡張させて係着した状態を示している。図１５〜図１７に示すように、前記アクセスフロアＡは、１辺が５０ｃｍの正方形の床材７２を隙間無く敷き詰め、両側縁の中央部にケーブルＣの引出口７３，７３を設けている。前記床材７２は、隣接する他の床材７２同士は９０度回転させた状態に交互に配列させ、どの位置でも４辺に接近して引出口７３が位置するようにしている。そして、前記アクセスフロアＡの上には１辺が５０ｃｍの正方形のタイルカーペットＴを中心が床材７２の頂角に位置するように半分ずらせて敷き詰めている。つまり、前記床材７２の引出口７３は、タイルカーペットＴの側縁に位置するので、該タイルカーペットＴの側縁を若干捲れば、前記引出口７３の穴ＨからケーブルＣを引き出すことができる。
【００３５】
本実施形態では、前記縦ダクト４の通常状態における外形寸法は３１５ｍｍ角の正方形としている。但し、角部には丸みを設けている。通常、本発明に係るテーブルを所望位置に設置したとき、図１６に示すように、大抵の場合には通常状態における前記縦ダクト４の内部に何れかの引出口７３が位置するので、該当する引出口７３の穴ＨからケーブルＣを引き出し、タイルカーペットＴの隙間から両ダクトカバー３２，３２間のダクト空間を通して天板１に配線することができる。特に、前記縦ダクト４は一つのテーブルに複数設けた場合には、その確率はさらに高まる。しかし、不幸にも、全ての縦ダクト４の内部に一つも引出口７３が位置しない場合もある。図１５に示すように、前記ダクトカバー３２を側方へずらして係着することにより、ダクト空間の内部に引出口７３を取り込むことができる。図１７に示すように、縦ダクト４の中心が床材７２の頂角に位置する最悪条件の場合にも、前記ダクトカバー３２を側方へずらしてダクト空間の内部に引出口７３の穴Ｈを取り込むことができるようにするには、前記ダクトカバー３２の取付位置を９２．５ｍｍだけ変えられるようにすれば良い。そのためには、前記中間脚３の支脚２０の側板２６の幅を最低１８５ｍｍは必要であり、重ねしろを考慮すれば実際には２２〜２３ｃｍ程度あれば十分である。この程度であれば、両ダクトカバー３２，３２を再接近させた通常状態でも、干渉することなく内部に側板２６を位置させることができる。
【００３６】
前記縦ダクト４を用いて天板１下面まで配線したケーブルＣは、テーブルの下面縁部に設けた前記接続ユニット１６まで配線され、天板１上で使用する電子機器に対する電源コードやＬＡＮケーブルを手元で接続することができる。前記接続ユニット１６は、図１８〜図２０に示すように、接続ボックス７４と、前記ファンクションエッジ１２の係止レール部４３に取付けるための取付金具７５とからなり、前記接続ボックス７４には、電源コードＣ２のコンセントを接続する差込口７６が前面に複数形成されている。前記差込口７６は、ＬＡＮケーブルの場合にはＲＪ−４５等のコネクターを設ける。前記取付金具７５は、金属板をクランク状に屈曲した取付部材７７の下部を前記接続ボックス７４の背面に取付け、上部に設けた締結具７８を用いて前記ファンクションエッジ１２の係止レール部４３に取付ける。
【００３７】
前記取付金具７５の取付部材７７は、前記接続ボックス７４の背面にネジ７９，７９を用いて取付ける取付板８０と、該取付板８０から手前側に直角に折曲した屈曲板８１と、該屈曲板８１の手前端から垂直に立ち上がった支持板８２とからなり、前記締結具７８は前記支持板８２の通孔８３，８３に後側から挿通した締結ネジ８４，８４の端部に螺合したコマ片８５，８５とからなっている。前記コマ片８５は、短尺寸法が前記係止レール部４３の開口溝４２の開口幅よりも小さく、長尺寸法が前記係止レール部４３の内部空間の上下寸法より大きく、両端を斜めにカットして前記基板３３と底面板３９に当接する当接部８６，８６を形成した正面視で平行四辺形の形状である。
【００３８】
そして、前記接続ユニット１６は、図１８及び図１９に示すように、前記取付部材７７の取付板８０を前記接続ボックス７４の背面に接合するとともに、前記屈曲板８１を該接続ボックス７４の上面に接合した状態で、取付板８０をネジ７９，７９で取付け、前記取付部材７７の支持板８２に前記締結具７８，７８を装着し、ユニット化する。それから、図１９に示すように、前記締結具７８，７８のコマ片８５，８５を水平に直列させた状態で、前記ファンクションエッジ１２の係止レール部４３の開口溝４２に後方から挿入し、前記接続ボックス７４の上面を底面板３９に当接した状態で前記締結ネジ８４を締付けると、最初は前記コマ片８５は供回りするが、当接部８６，８６が前記基板３３と底面板３９に当接してからは回転が規制され徐々に引き付けられ、遂には前記係止板４１，４１に形成した補強片４４，４４に当接し、該コマ片８５と前記支持板８２とで補強片４４，４４を締付けて取付ける。
【００３９】
前記接続ユニット１６を前記ファンクションエッジ１２に取付けた状態では、前記接続ボックス７４の前面は、前記ファンクションエッジ１２の垂下板３７と略面一となる。つまり、前記接続ボックス７４の差込口７６の位置は、前記天板１の端縁から後退した位置になる。それにより、前記接続ボックス７４の差込口７６に天板１の上面に置いた電子機器からのケーブルＣ２のプラグ８７を接続した際に、ケーブルＣ２が天板１の端縁から大きく突出することがなくなる。また、前記締結具７８，７８を緩めれば、前記接続ユニット１６は前記ファンクションエッジ１２の係止レール部４３に沿った任意の位置に移動させることができる。
【００４０】
図２１には前記ファンクションエッジ１２を他の実施形態を示している。本実施形態のファンクションエッジ１２は、前記天板１上にこぼした水等の液体が前記保護片３５と天板１の隙間から浸入し、基板３３の上に溜まることを防止できる構造とした。この場合、前記天板１の下面縁部を斜めにカットして面取り部８８を形成している。そして、前記ファンクションエッジ１２は、前記基板３３の手前側部分を前記面取り部８８に対応した傾斜板８９とし、該傾斜板８９の中間部に全長にわたり排水溝９０を形成し、該排水溝９０と下面板３６との適所に排水孔９１，９１を形成している。その他の構造で前述のものと異なるところは、前記下面板３６の手前端部分を下方へ膨出させ（膨出部３６Ａ）、その後方に前記垂下板３７に至るまでを凹溝４５とし、前記本体部４０の中空部の手前端（外側縁部）に上下に対向させて係合溝５９，６１を形成し、嵌合部５８としたところにある。尚、前記凹溝４５の開口縁には突片４６を設けない。この場合、前記下面板３６の手前側膨出部３６Ａは前記凹溝４５に指を掛けるのに適したものとなり、また内部は樋状になるので排水溝としての機能を有し、こぼれた液体は最終的にこの膨出部３６Ａに形成された排水孔９１から外部に排水される。また、前記ファンクションエッジ１２，１２同士を連結する場合、係止レール部４３に沿って形成された嵌合空間５６には前記同様な連結金具１３の芯金５０を挿入するが、前記本体部４０の内部に設けた前記嵌合部５８には単純な厚板状の連結板１４を上下の係合溝５９，６１に係合させて挿入する。その他の構造は前記同様であるので、同一符号を付してその説明は省略する。
【符号の説明】
【００４１】
１  天板、                  １Ａ  ベース部、
１Ｂ  ガラス板、            ２  棒脚、
３  中間脚、                ４  縦ダクト、
５  キャビネット、          ６  脚ブラケット、
７  エンドアーム、          ８  中間アーム、
９  ファンクションビーム、  １０  中間ブラケット、
１１  取付片、              １２  ファンクションエッジ、
１３  連結金具、            １４  連結板、
１５  コーナーブラケット、  １６  接続ユニット、
１７  嵌合部、              １８  鍔部、
１９  固定筒、              ２０  支脚、
２１  支持杆、              ２２  連結杆、
２３  接地杆、              ２４  アジャスター、
２５  杆体、                ２６  側板、
２７  連結片、              ２８  嵌合部、
２９  上段コード受け、      ３０  吊止部材、
３１  下段コード受け、      ３２  ダクトカバー、
３３  基板、                ３４  側面板、
３５  保護片、              ３６  下面板、
３７  垂下板、              ３８  後面板、
３９  底面板、              ４０  本体部、
４１  係止板、              ４２  開口溝、
４３  係止レール部、        ４４  補強片、
４５  凹溝、                ４６  突片、
４７  開口、                ４８  取付孔、
４９  ネジ、                ４９Ａ  頭部、
５０  芯金、                ５１  挿入杆、
５２  螺孔、                ５３  螺孔、
５４  垂直片、              ５５  水平片、
５６  嵌合空間、            ５７  切欠部、
５８  嵌合部、              ５９  係合溝、
６０  段落ち部、            ６１  係合溝、
６２  通孔、                ６３  ネジ、
６４  支持孔、              ６５  ネジ、
６６  嵌合片、              ６７  コーナー端面板、
６８  係合片、              ６９  端縁部、
７０  マグネット、          ７１  吸着面、
７２  床材、                ７３  引出口、
７４  接続ボックス、        ７５  取付金具、
７６  差込口、              ７７  取付部材、
７８  締結具、              ７９  ネジ、
８０  取付板、              ８１  屈曲板、
８２  支持板、              ８３  通孔、
８４  締結ネジ、            ８５  コマ片、
８６  当接部、              ８７  プラグ、
８８  面取り部、            ８９  傾斜板、
９０  排水溝、              ９１  排水孔、
Ａ  アクセスフロア、
Ｈ  穴
Ｃ，Ｃ１，Ｃ２       ケーブル、
Ｔ  タイルカーペット。
【図１】
2014061194.tif 000003
【図２】
2014061194.tif 000004
【図３】
2014061194.tif 000005
【図４】
2014061194.tif 000006
【図５】
2014061194.tif 000007
【図６】
2014061194.tif 000008
【図７】
2014061194.tif 000009
【図８】
2014061194.tif 000010
【図９】
2014061194.tif 000011
【図１０】
2014061194.tif 000012
【図１１】
2014061194.tif 000013
【図１２】
2014061194.tif 000014
【図１３】
2014061194.tif 000015
【図１４】
2014061194.tif 000016
【図１５】
2014061194.tif 000017
【図１６】
2014061194.tif 000018
【図１７】
2014061194.tif 000019
【図１８】
2014061194.tif 000020
【図１９】
2014061194.tif 000021
【図２０】
2014061194.tif 000022
【図２１】
2014061194.tif 000023